【手続補正書】
【提出日】平成16年2月26日(2004.2.26)
【手続補正１】
【補正対象書類名】明細書
【補正対象項目名】特許請求の範囲
【補正方法】変更
【補正の内容】
【特許請求の範囲】
【請求項１】
無線カードがアンテナにかざされることにより、その無線カードに記録されている情報を受信して改札を行う自動改札機において、
上記無線カードがアンテナにかざされた際、上記無線カードに記録されている情報を受信して通過の許可、不許可を判定する判定手段と、
この判定手段の判定結果に応じて発光を行う発光手段と、
この発光手段で発光された光を受けて上記無線カードがかざされる領域を照明する照明手段と、
を具備したことを特徴とする自動改札機。
【請求項２】
上記発光手段は、キセノン管等のフラッシュ光源であることを特徴とする請求項１記載の自動改札機。
【請求項３】
上記光導手段は、透明のアクリル材であることを特徴とする請求項１記載の自動改札機。
【請求項４】
無線カードがアンテナにかざされることにより、その無線カードに記録されている情報を受信して改札を行う自動改札機において、
上記無線カードがアンテナにかざされた際、上記無線カードと無線通信する送受信手段と、
この送受信手段で受信された上記無線カードに記憶されている情報から通過の許可、不許可を判定する判定手段と、
この判定手段の判定結果に応じて点滅光を発光する発光手段と、
この発光手段で発光される点滅光を受けて上記無線カードがかざされる領域を照明する照明手段と、
を具備したことを特徴とする自動改札機。
【請求項５】
無線カードがアンテナにかざされることにより、その無線カードに記録されている情報を受信して改札を行う自動改札機において、
点滅光を発光する複数の発光手段と、
上記無線カードがアンテナにかざされた際、上記無線カードと無線通信する送受信手段と、
この送受信手段で受信された上記無線カードに記憶されている情報から通過の許可、不許可を判定する判定手段と、
上記判定手段の判定結果に応じて、上記複数の発光手段を順次発光させて上記複数の発光手段における１つの点滅間隔より短い発光間隔を得る制御を行う制御手段と、
上記複数の発行手段で発行された光を受けて上記無線カードがかざされる領域を照明する照明手段と、
を具備したことを特徴とする自動改札機。
【請求項６】
無線カードがアンテナにかざされることにより、その無線カードに記録されている情報を受信して改札を行う自動改札機において、
点滅光を発光する複数の発光手段と、
この複数の発光手段の個々に発光される光を個々の色フィルタを通して導く光導手段と、
上記フィルタを通された光を受けて上記無線カードがかざされる領域を照明する照明手段と、
上記無線カードがアンテナにかざされた際、上記無線カードに記録されている情報を受信して通過の許可、不許可を判定する判定手段と、
この判定手段の判定結果に応じて上記複数の発光手段のうちの１つを発光制御する制御手段と、
を具備したことを特徴とする自動改札機。
【請求項７】
無線カードがアンテナにかざされることにより、その無線カードに記録されている情報を受信して改札を行う自動改札機において、
上記無線カードがアンテナにかざされた際、上記無線カードに記録されている情報を受信して通過の許可、不許可を判定する判定手段と、
この判定手段で通過許可と判定された際、上記自動改札機の通路上に判定結果に応じた案内を表示する第１の表示手段と、
この判定手段で通過不許可と判定された際、上記自動改札機の通路上に判定結果に応じた案内を表示する第２の表示手段と、
を具備したことを特徴とする自動改札機。
【請求項８】
無線カードがアンテナにかざされることにより、その無線カードに記録されている情報を受信して改札を行う自動改札機において、
上記無線カードがアンテナにかざされた際、上記無線カードに記録されている情報を受信して通過の許可、不許可を判定する判定手段と、
この判定手段の判定結果に応じて発光を行う発光手段と、
この発光手段で発光された光を受けて上記無線カードがかざされる領域を照明する照明手段と、
上記判定手段で通過許可と判定された際、上記自動改札機の通路上に判定結果に応じた案内を表示する第１の表示手段と、
この判定手段で通過不許可と判定された際、上記自動改札機の通路上に判定結果に応じた案内を表示する第２の表示手段と、
を具備したことを特徴とする自動改札機。
【請求項９】
無線カードがアンテナにかざされることにより、その無線カードに記録されている情報を受信して改札を行う自動改札機の照明方法であって、
上記無線カードがアンテナにかざされた際、上記無線カードに記録されている情報を受信して通過の許可、不許可を判定し、判定結果に応じた発光を行い、この発光された光により上記無線カードがかざされる領域を照明するようにしたことを特徴とする自動改札機の照明方法。
【請求項１０】
無線カードがアンテナにかざされることにより、その無線カードに記録されている情報を受信して改札を行う自動改札機の表示方法であって、
上記無線カードがアンテナにかざされた際、上記無線カードに記録されている情報を受信して通過の許可、不許可を判定し、通過許可と判定された際、上記自動改札機の通路上に判定結果に応じた案内を表示し、通過不許可と判定された際、上記自動改札機の通路上に判定結果に応じた案内を表示するようにしたことを特徴とする自動改札機の表示方法。
【手続補正２】
【補正対象書類名】明細書
【補正対象項目名】００１３
【補正方法】変更
【補正の内容】
【００１３】
【課題を解決するための手段】
この発明の自動改札機は、無線カードがアンテナにかざされることにより、その無線カードに記録されている情報を受信して改札を行う自動改札機において、上記無線カードがアンテナにかざされた際、上記無線カードに記録されている情報を受信して通過の許可、不許可を判定する判定手段と、この判定手段の判定結果に応じて発光を行う発光手段と、この発光手段で発光された光を受けて上記無線カードがかざされる領域を照明する照明手段とから構成されている。


【手続補正３】
【補正対象書類名】明細書
【補正対象項目名】００１４
【補正方法】変更
【補正の内容】
【００１４】
この発明の自動改札機は、無線カードがアンテナにかざされることにより、その無線カードに記録されている情報を受信して改札を行う自動改札機において、上記無線カードがアンテナにかざされた際、上記無線カードと無線通信する送受信手段と、この送受信手段で受信された上記無線カードに記憶されている情報から通過の許可、不許可を判定する判定手段と、この判定手段の判定結果に応じて点滅光を発光する発光手段と、この発光手段で発光される点滅光を受けて上記無線カードがかざされる領域を照明する照明手段とから構成されている。


【手続補正４】
【補正対象書類名】明細書
【補正対象項目名】００１５
【補正方法】変更
【補正の内容】
【００１５】
この発明の自動改札機は、無線カードがアンテナにかざされることにより、その無線カードに記録されている情報を受信して改札を行う自動改札機において、点滅光を発光する複数の発光手段と、上記無線カードがアンテナにかざされた際、上記無線カードと無線通信する送受信手段と、この送受信手段で受信された上記無線カードに記憶されている情報から通過の許可、不許可を判定する判定手段と、上記判定手段の判定結果に応じて、上記複数の発光手段を順次発光させて上記複数の発光手段における１つの点滅間隔より短い発光間隔を得る制御を行う制御手段と、上記複数の発行手段で発行された光を受けて上記無線カードがかざされる領域を照明する照明手段とから構成されている。


【手続補正５】
【補正対象書類名】明細書
【補正対象項目名】００１６
【補正方法】変更
【補正の内容】
【００１６】
この発明の自動改札機は、無線カードがアンテナにかざされることにより、その無線カードに記録されている情報を受信して改札を行う自動改札機において、点滅光を発光する複数の発光手段と、この複数の発光手段の個々に発光される光を個々の色フィルタを通して導く光導手段と、上記フィルタを通された光を受けて上記無線カードがかざされる領域を照明する照明手段と、上記無線カードがアンテナにかざされた際、上記無線カードに記録されている情報を受信して通過の許可、不許可を判定する判定手段と、この判定手段の判定結果に応じて上記複数の発光手段のうちの１つを発光制御する制御手段とから構成されている。


【手続補正６】
【補正対象書類名】明細書
【補正対象項目名】００１７
【補正方法】変更
【補正の内容】
【００１７】
この発明の自動改札機は、無線カードがアンテナにかざされることにより、その無線カードに記録されている情報を受信して改札を行う自動改札機において、上記無線カードがアンテナにかざされた際、上記無線カードに記録されている情報を受信して通過の許可、不許可を判定する判定手段と、この判定手段で通過許可と判定された際、上記自動改札機の通路上に判定結果に応じた案内を表示する第１の表示手段と、この判定手段で通過不許可と判定された際、上記自動改札機の通路上に判定結果に応じた案内を表示する第２の表示手段とから構成されている。


【手続補正７】
【補正対象書類名】明細書
【補正対象項目名】００１８
【補正方法】変更
【補正の内容】
【００１８】
この発明の自動改札機は、無線カードがアンテナにかざされることにより、その無線カードに記録されている情報を受信して改札を行う自動改札機において、上記無線カードがアンテナにかざされた際、上記無線カードに記録されている情報を受信して通過の許可、不許可を判定する判定手段と、この判定手段の判定結果に応じて発光を行う発光手段と、この発光手段で発光された光を受けて上記無線カードがかざされる領域を照明する照明手段と、上記判定手段で通過許可と判定された際、上記自動改札機の通路上に判定結果に応じた案内を表示する第１の表示手段と、この判定手段で通過不許可と判定された際、上記自動改札機の通路上に判定結果に応じた案内を表示する第２の表示手段とから構成されている。


【手続補正８】
【補正対象書類名】明細書
【補正対象項目名】００１９
【補正方法】変更
【補正の内容】
【００１９】
この発明の自動改札機の照明方法は、無線カードがアンテナにかざされることにより、その無線カードに記録されている情報を受信して改札を行う自動改札機の照明方法であって、上記無線カードがアンテナにかざされた際、上記無線カードに記録されている情報を受信して通過の許可、不許可を判定し、判定結果に応じた発光を行い、この発光された光により上記無線カードがかざされる領域を照明するようにしたことを特徴とする。


【手続補正９】
【補正対象書類名】明細書
【補正対象項目名】００２０
【補正方法】変更
【補正の内容】
【００２０】
この発明の自動改札機の表示方法は、無線カードがアンテナにかざされることにより、その無線カードに記録されている情報を受信して改札を行う自動改札機の表示方法であって、上記無線カードがアンテナにかざされた際、上記無線カードに記録されている情報を受信して通過の許可、不許可を判定し、通過許可と判定された際、上記自動改札機の通路上に判定結果に応じた案内を表示し、通過不許可と判定された際、上記自動改札機の通路上に判定結果に応じた案内を表示するようにしたことを特徴とする。